(57)【特許請求の範囲】
【請求項１】
アクセス点の２つ間の接続を規定する宛先識別子を有する情報セルアクセス点の一方から他方に伝送するＡＴＭ型の少なくとも１つの回線網と、少なくとも１つの多重化装置とで構成され：
ある接続に対しあるレートで伝送するセルを有するユーザ用の複数のアクセス手段と；
前記回線網の少なくとも１つのアクセス点への接続用の少なくとも１つの接続手段と；
前記アクセス手段に割当てられ１の接続に対するユーザセルを記憶するバッファ素子および記憶されたセルをセルの出力側に得るようにしたセル伝送コントローラを有する複数のサービス回路と；
前記接続手段への少なくとも１つのセルの供給を決める割当て回路と；を具える通信システムにおいて：
前記割当て回路は例えばそのレートの逆数よりも短い時間周期で各サービス回路に対し前記セル伝送コントローラにセルを伝送する承認準備信号を発生する手段を設け、
前記割当て回路の他の手段は：
そのブロック数が前記接続のレートの減少関数である少なくとも１つの接続の群を確立する分配装置と；
伝送デートおよび前記割当て回路のレートによって決まる周期を各接続に割当てるデータおよび周期割当て回路と；
現在のデートを発生するブロック回路と；
各ブロックに１群を周期的に選択する選択回路と；
前記選択した群の各接続の伝送デートを現在のデートと比較することによって前記準備信号に同期して過去または未来のデートの表示を発生せしめる比較回路と；
未来のデートの表示に対する同様の伝送デートを再割当てするか、または過去のデートの表示に対する前記時間周期を前記伝送デートに加える再割当て回路と；
過去のデートの表示に基づいて前記サービス回路の伝送命令でセルの伝送に対する承認信号を発生する有効回路とを具えることを特徴とする通信システム。
【請求項２】
前記有効回路は待ち行列素子に基づいて形成することを特徴とする請求項１に記載の通信システム。
【請求項３】
前記有効回路は停止データツリー回路に基づいて形成することを特徴とする請求項１に記載の通信システム。
【請求項４】
ある接続に対しあるレートで伝送するセルを有するユーザ用の複数のアクセス手段と；
前記回線網の少なくとも１つのアクセス点への接続用の少なくとも１つの接続手段と；
前記アクセス手段に割当てられ１の接続に対するユーザセルを記憶するバッファ素子および記憶されたセルをセルの出力側に得るようにしたセル伝送コントローラを有する複数のサービス回路と；
前記接続手段への少なくとも１つのセルの供給を決める割当て回路と；を具え；該割当て回路は：
そのブロック数が前記接続のレートの減少関数である少なくとも１つの接続の群を確立する分配装置と；
伝送レートおよび前記割当て回路のレートによって決まる周期を各接続に割当てるデータおよび周期割当て回路と；
現在のデートを発生するクロック回路と；
各ブロックに１群を周期的に選択する選択回路と；
前記選択した群の各接続の伝送デートを現在のデートと比較することによって前記準備信号に同期して過去のおよび未来のデートの表示を発生せしめる比較回路と；
未来のデートの表示に対する同様の伝送デートを再割当てするか、または過去のデートの表示に対する前記時間周期を前記伝送デートに加える再割当て回路と；
過去のデートの表示に基づいて前記サービス回路の伝送制御にセルを伝送する承認信号を発生する有効回路とを具えることを特徴とする請求項１〜３の何れかの項に記載の通信システムに好適な多重化装置。
【発明の詳細な説明】
【０００１】
【産業上の利用分野】
本発明はアクセス点の２つ間の接続を規定する宛先識別子を有する情報セルアクセス点の一方から他方に伝送するＡＴＭ型の少なくとも１つの回線網と、少なくとも１つの多重化装置とで構成され：ある接続に対しあるレートで伝送するセルを有するユーザ用の複数のアクセス手段と；前記回線網の少なくとも１つのアクセス点への接続用の少なくとも１つの接続手段と；前記アクセス手段に割当てられ１の接続に対するユーザセルを記憶するバッファ素子および記憶されたセルをセルの出力側に得るようにしたセル伝送コントローラを有する複数のサービス回路と；前記接続手段への少なくとも１つのセルの供給を決める割当て回路と；を具える通信システムに関するものである。
また、本発明はかかる通信システムに好適な多重化装置に関するものである。
【０００２】
【従来の技術】
この種通信システムはヨーロッパ特許出願公開第618 749 号明細書に記載されており、主としてＡＴＭ（非同期転送方式）回線網に適用される。
【０００３】
ＡＴＭ技術によって種々の異なる型のデータ（音声、映像、ファイル等）を同一の搬送波で伝送することができる。これらデータは53バイトの標準規格長さを有するパケットと称されるセルに配列する。ヘッダーに含まれ、２フィールド、ＶＰＩ（仮想経路識別子）およびＶＣＩ（仮想チャネル識別子）によって形成されるアドレスはＡＴＭ回線網内のセルの経路を確立し、従って呼加入者および被呼加入者間の接続を設定する。伝送フレームのペイロードをＡＴＭ経路と称する。同一のＶＰＩを有するＡＴＭセルの一群は仮想経路ＶＰを構成する。同一のＶＰＩおよび同一のＶＣＩに対する一連のＡＴＭセルは仮想チャネルＶＣを形成する。
【０００４】
しかし、セルの基本ホーマットは種々の異なる種類のデータ全部に対して同一であるため、前記接続の各々の各種類に対して設けるべき接続はトラフィックおよびサービス品質（ＱｏＳ）によってそれ自体の特性を有する。各接続の特性（価格等を含む）はＡＴＭ接続および回線網のオペレータの双方を結ぶ契約（接触）で詳細に規定する必要がある。この接触によってユーザと回線網提供者との双方を結ぶ。
【０００５】
回線網提供者は契約で規定されたトラフィックパターンに対し契約で決められた価格でユーザのデータを（平均または最大セル伝送時間、エラーセルの数、消失セルの数等により規定された）あるサービス品質で伝送することに同意する。
【０００６】
ユーザは、回線網によって提供されたデータ伝送サービスに対し費用を払う義務を負うとともにユーザが契約で規定されたトラフィックパターンに従わない場合には回線網がもはやサービス品質を保証しない（例えば契約によって決められたトラフィックパターンの“外側”にあるセルを破壊し得るようになる。）と云う忠告を受ける。
【発明が解決しようとする課題】
【０００７】
ＡＴＭ回線網にアクセスするためには、ユーザはレート制約および仮想経路ＶＰおよび仮想チャネルＶＣの双方に関するジッタの問題に直面する。セルの出現時間の不整合によってそれ自体明白となるジッタは実時間適用と称される適用、例えばビデオサービスに対し特に厄介となる。
【０００８】
回線網へのアクセス点は、ＡＴＭ経路にセルを接続する手段を具える多重化装置によって達成するため、これらセルはこの政策に従い、最小のジッタが発生する。
【０００９】
本発明の目的は上述した欠点を除去せんとするにある。
【００１０】
【課題を解決するための手段】
本発明はアクセス点の２つ間の接続を規定する宛先識別子を有する情報セルアクセス点の一方から他方に伝送するＡＴＭ型の少なくとも１つの回線網と、少なくとも１つの多重化装置とで構成され：ある接続に対しあるレートで伝送するセルを有するユーザ用の複数のアクセス手段と；前記回線網の少なくとも１つのアクセス点への接続用の少なくとも１つの接続手段と；前記アクセス手段に割当てられ１の接続に対するユーザセルを記憶するバッファ素子および記憶されたセルをセルの出力側に得るようにしたセル伝送コントローラを有する複数のサービス回路と；前記接続手段への少なくとも１つのセルの供給を決める割当て回路と；を具える通信システムにおいて：前記割当て回路は例えばそのレートの逆数よりも短い時間周期で各サービス回路に対し前記セル伝送コントローラにセルを伝送する承認準備信号を発生する手段を設けることを特徴とする。
【００１１】
これがため、本発明手段によれば、承認は所望のタイミングに近いタイミングで既に用意されており、かつこのタイミングが所望のレートよりも速いと云う事実によって冗長承認を簡単に除去することでこれら承認を容易に管理することができる。
【００１２】
また、本発明の極めて顕著な特徴によれば、かかる容易な管理を行うためには、前記割当て回路の他の手段は：そのブロック数が前記接続のレートの減少関数である少なくとも１つの接続の群を確立する分配装置と；伝送データおよび前記割当て回路のレートによって決まる周期を各接続に割当てるデータおよび周期割当て回路と；現在のデータを発生するブロック回路と；各ブロックに１群を周期的に選択する選択回路と；前記選択した群の各接続の伝送データを現在のデータと比較することによって前記準備信号に同期して過去または未来のデータの表示を発生せしめる比較回路と；未来のデータの表示に対する同様の伝送データを再割当てするか、または過去のデータの表示に対する前記時間周期を前記伝送データに加える再割当て回路と；過去のデータの表示に基づいて前記サービス回路の伝送命令でセルの伝送に対する承認信号を発生する有効回路とを具えるようにする。
【００１３】
【実施例】
図１はＡＴＭ回線網を100 で示す。この回線網の詳細は、Martin de PRYCKER 著“ASYNCHRONOUS TRANSFER MODE", ELLIS HOWOOD 社、 英国、1991 年刊行に説明されている。この回線網は種々のノード102,103,104,105,106,107 および108 で形成され、 これらノードをリンク110-118 によってそれぞれノード102-103,102-107,103-105,103-104,104-105,104-108,104-106,107-108 および106-107 のように接続する。この回線網への種々のアクセス点を１２０−１２８で示す。これらアクセス点は各リンク130-138 を経てノード108,106,106,107,102,107,103,105 および105 にそれぞれ接続する。種々の多重化装置および逆多重化装置160,161 および162 をこれらアクセス点に接続する。これら多重化装置および逆多重化装置のうち、多重化装置160 は本発明の一部分を形成し、２つの逆多重化装置161 および162 は多重化装置160 の作動の逆の作動を行い、かつ本発明通信システムの一部分を形成する。1994年６月23日に出願されたヨーロッパ特許出願公開第632 669 号明細書では、かかる逆多重化装置が詳細に説明されている。多重化装置160 には４つの接続端子170,171,172 および173 を設け、これら端子を４つの点120、121、122、123 にそれぞれ接続する。従って、本例のフレームワーク内では、回線網100 を通過することにより情報は多重化装置160 から逆多重化装置161 および162 に供給することができる。この伝送情報は多重化装置160 の多数のアクセス端子1800-180999 に供給され、且つ例えば逆多重化装置161 の出力端子1851-185N および逆多重化装置162 の出力端子1901-190N ′に発生させることができる。ＮおよびＮ′の大きさは1000のオーダーとする。回線網を経て伝送される情報はその構成を図２に示すセルの形態で発生する。これらのセルは53オクテットで形成され、そのうちの５つはヘッダーフィールドＨＤを形成し、残りの48オクテットＰl は伝送サービスのデータを含む。ヘッダーフィールドには２つの符号ＶＰＩおよびＶＣＩを示し、これらはそれぞれ仮想経路識別子および仮想回路識別子に相当する。仮想経路識別子は伝送オペレータが所有し、仮想回路識別子は回線網提供者が所有する。
【００１４】
図３は多重化装置160 の回路構成を示す。説明を簡単化するために、図３ではアクセス端子1800-180999 から端子170 にセルを供給するものとする。
【００１５】
これらアクセス端子1801-180999 の各々は同一の識別子および同一のトラフィック制約を有するセルを受信する。これらセルを待ち素子2000-200999 の一部分をそれぞれ形成するバッファ素子に記憶する。これら種々の待ち素子2000-200999 はＦＩＦＯ型のメモリ2010-201999 によってそれぞれ形成する。これらのメモリはその出力側にデータをその到来順序で戻すようにする。共通のデータライン210 によって待ち素子の出力側を出力回路211 を経て端子170 に接続する。この出力回路は端子120 に信号を適応する簡単な回路とする。また、これら待ち素子2000-200999 は復号化素子2800-280999 の形態で発生する送出側を承認する素子を具える。これら復号化素子の入力側は前記待ち素子2000-200999 の全てを相互接続する第３の共通ライン290 に接続する。認識符号“i"(0≦i ≦999)をこれら待ち素子2000-200999 の各々に割当てるため、これら復号化器は伝送された符号を復号化する。
【００１６】
割当て回路300 によってこの最終共通ライン290 上の認識符号を処理してこの符号により示される待ち素子を認識して選択セルと称されるセルを伝送する。この割当て回路はデータ処理端子348 の形態で示される管理素子によって管理する。
【００１７】
図４は回路300 の構成を示す。この回路300 は管理すべき接続と同数の多くのラインによって形成されるメモリ501 を囲んで形成する。各ラインは２つのワード、即ち、デートＤj および周期Ｔj を具える。これらワードの記号の指標“ｊ" は上述した認識符号“ｉ" と同様とすることができる。
【００１８】
本発明によれば、接続を図では高い方から低い方に降順に分類する。 これら接続を４つのブロックBL1-BL4 に配列する。これらブロックの各々を８つの接続の群に分割する。ブロックBL1 は１群を具え、ブロックBL2,BL3 およびBL4 は４,20 および100 群をそれぞれ具える。この細分割は端子ユニット348 を経て行う。前記メモリ501 には、クロック回路506 のパルスを計数する計数器505 およびアドレス符号変換器507 により形成されるアドレス指定セット503 を関連させる。このクロックパルスによって処理回路510 に必要な４つのフェーズ( 読出し、比較、書込み、リセット) を発生させる。32個の接続をＡＴＭセルの各伝送周期“ｕ" で走査するため、クロック信号の周期はｕ/(４* 32) に等しくなる。本発明の好適な例によれば、符号変換器は次のように、即ち、下表１に説明される真理値表によれば示されるように配列することができる。この表は、その複雑さのために、以下に示す種々の手段で形成する個とができる。
ＲＯＭ（読出し専用メモリ）
ＲＡＭ（ランダムアクセスメモリ）
組合せ論理
状態オートメーション；この場合には計数器505 を集積化することができる。
【００１９】
【表１】
0003828966.tif 000002
【００２０】
この表では左欄に計数器505 の内容を示し、右欄にアドレス指定された素子を示す。このアドレス指定をセル周期“ｕ" にそれぞれ割当てられたサイクルに分割する。各サイクル中ブロック全部の８個の接続ラインを処理する。各サイクルでは、ブロックBL1 の接続ライン全部を処理する。ブロックBL2 の接続ラインを処理するには４サイクルを必要とし、ブロックBL3 の接続ラインを処理するには20サイクルを必要とし、ブロックBL4 のセルに対しては100 サイクルを必要とする。
【００２１】
処理回路510 によって接続ラインの種々のデータＤj の更新を行う。従って、 比較器512 を設け、これによりアドレス指定セット503 により規定された位置に記憶されたデートＤj と現在のデート回路515 により生じた現在のデートＤc とを比較する。
【００２２】
このデートＤj を過去のデートまたは現在のデートとする場合には、比較器によって接続ラインを有効としてセットを送出する信号を発生する。これを図４にスイッチ517 で示す。加算器520 によって周期Ｔj をデートＤj に加算する。この結果をスイッチ522 を経てこの同一の接続ラインに記憶させる。
【００２３】
デートＤj が未来のデートである場合には、セルを送出せず、スイッチ550 を開放し、レジスタ525 に書込まれたデートＤj をその位置に戻す。
【００２４】
有効回路550 によって伝送を承認することができる。この有効回路550 は形成された識別子、即ち、スイッチ517 の閉成位置によって有効となるアドレス指定された符号を入力側に受けるとともに待ちのヘッドに位置する識別子を各セル周期で伝送する簡単な待ちとするか、またはヨーロッパ特許出願第689371号に記載された型の回路とすることができる。このヨーロッパ特許にはストップデートを表わすツリー回路が記載されている。
【００２５】
“ｕ" はＡＴＭ接続を支持する共通の物理的接続の“セル周期" とする（この場合には、これらは同一の物理的なリンクで全て多重化される）。標準ＳＤＨ（同期式データ階層）アクセスリンクを155.52ｍビット／秒とする場合には、これによって３μｓの静止周期が発生する。1000ＡＴＭ接続を同時に処理する必要がある場合にはデート比較装置によって単位時間ｕ当たり32オペレーションのみを実行する。さらに、接続のレートの和は物理的リンクの有効レートに多くとも等しくなるようにする（多くとも100 ％に等しいロード、ＡＴＭのオーバーブッキングの名称で周知の“統計的多重化" は使用しない）。前記ヨーロッパ特許を理解するために、まず最初、次の“補題" が確立する。上記表のボックス“ｎ" に位置する接続はｎ* ｕni少なくとも等しい周期を有する。
・全ての接続のレートの和は多重化レートの100 ％よりも低い。従って、これは接続１- ｎのレート“Ｄebi " の和（表の上部の最高レートを有する接続に限定された和）に対しては有効となる。
・レート“Ｄebi " が降順で分類されるに連れてレート１−ｎの和が一層ｎ* Ｄebn 以上となる。その理由は、この分類によれば、ｉがａよりも小さい場合にＤebn がＤebi よりも少ないかまたはこれに等しいからである）。
・上記和のｎ−１の第１項の値をＤebn だけ減算することによって、ｎ* Ｄebn が多重化の100 ％以下となり、これはＤebn が１／ｎth多重化レートに多くとも等しくなることを意味する。
・１周期の項に変換された後者の特性（Ｔｎ＝１／Ｄebn およびｕ＝１／Ｄebmultiplex ）によって以下に示す証明すべき関係を発生する。
Ｔｎ≧ｎ* ｕ
この結果を強調して装置のオペレーションは次に示すようになる：
各周期Ｔj および現在のデートを値t0で初期化する。
各時間単位ｕ中比較装置による32接続の処理容量は次のように使用することができる。
・群１の８接続の処理（表の上部）
・群２の８接続の処理（周期的に、従って32接続の各々が処理される単位の４倍）
・群３の８接続の処理（周期的に、従って160接続の各々が処理される単位の20倍）
・群４の８接続の処理（周期的に、従って800接続の各々が処理される単位の100 倍）
【００２６】
この接続処理は既に説明している。
この装置によって、接続ｊの各々が、接続の上述した減少レートでの分類のため、少なくともＴj / ２の“不整列" で処理されることを確実にする。
【００２７】
減少レートで与えられた接続、即ち、より高いレートの接続の分類は群１−８で得られる；これら接続の各々に対してはその関連する周期Ｔj はｕよりも大きいか、または、これに等しくなる；これら接続の各々は各周期ｕで処理される（その理由は、群には８接続があり、この群に対しては周期ｕ毎に８処理がある）ため、これら接続の１つに対するスケジュールに送出承認デートＤj が到来することを直ちに承認することができる。
【００２８】
群２に対しては、分類による接続は９* ｕよりも大きいか、または、これに等しい周期を有する（その理由は、各接続が表の９番目のボックス、即ち、上述した補題の後に全て位置するからである）。この群に対しては、32個の接続を４周期ｕで処理する。その理由はこの群に対しては周期ｕ当たり８処理リソースが存在するからである。これがため、群２の接続の周期全部が4.5*ｕよりも大きいものとすると、この群の接続に対する処理不整列は全てＴj ／２以下となる。
【００２９】
群３に対しても同様のことが当てはまり、この場合接続の周期は41* ｕよりも大きいか、またはこれに等しい。即ち、この群に対する完全な処理（即ち、周期当たり160 接続および８接続）は実際上20周期ｕで実行し、これによって不整列をＴj ／２以下とする。
【００３０】
最後に、群４に対しては、 201* u よりも大きいか、またはこれに等しい周期で、即ち、周期当たり全部および８つの処理での800 接続で、全部の群を100 周期ｕで処理して、探索結果が得られるようにする。
【００３１】
これがため、本発明によれば、周期ｕ（多重化セル周期）当たり32個の接続の処理容量を有する単一比較器によって1000接続を処理することができる。
【００３２】
従って、本発明は次の点に要約することができる。
・ａ）不整列に対する回線網の許容差余裕を用いる（＜Ｔj ／２）
・ｂ）送出承認デートの表の接続を分類する
・ｃ）“比較リソース”の分割アルゴリズムを正しく選択する。
次の一般概念は本発明の予約領域の一部を構成する。
ａ）本発明は表の分類およびここで提案されているものとは異なるリソース分割アルゴリズムで使用することができ、このアルゴリズムを接続のサービスの品質にリンクさせる。簡単な例：不整列を避けるために各周期ｕにおける処理を必要とする特定の接続が存在するものとすると、この接続は如何なるレートであっても群１に位置させることができる。この例では、これがシフトダウンしている他の接続を妨害しないことは明らかである。この種の使用は無限に繰返される：即ち、所定のリソース分割アルゴリズムに対しては表に与えられた接続の位置決めによってあるサービス品質を保証し、従ってこれらサービス品質の保証がこれに割当てられるか、またはこの接続が種々の規準に充分に依存するようになる。
【００３３】
ｂ）リソース分割のこの原理も“比較リソース”以外のリソースに一般化することができる。ここで与えられる簡単な例は種々のレートにおける種々のＡＴＭ接続に対しセル計数器を（零リセットにより）読出す必要のあるマイクロプロセッサの例であり、これら計数器は全て同一の大きさを有し、例えば16−ビット計数器である。解決すべき問題点は計数器の飽和を防止することにある。この目的のため、最悪の場合を考慮し、計数器の全部を充分迅速に読取って、これら計数器が飽和する暇が無いようにする。しかし、数千の接続が存在する場合にはマイクロプロセッサに重いロードがかかるようになる。
【００３４】
他の解決手段は本願発明で提案されたものに簡単な機能を用いることにある。この場合、表には読出すべき計数器を含め、これら計数器を計数処理によって更新するようにする（各周期ｕで単一の計数器を増分させる、その理由はこれが単一のセルの伝送または受信に相当するからである）とともに、分割されたリソースをここではマイクロプロセッサのＣＰＵ時間とする。マイクロプロセッサは表の低部の低いレートの接続の計数器よりも一層頻繁に（表の高い部分の）高いレートの接続の計数器を読出す。その理由は後者の計数器が飽和までに一層時間がかかるからである。従ってＣＰＵ時間が節約され、しかも接続の各々を正しく処理することができる。
【００３５】
従って、本発明の一般的な原理はＡＴＭ接続の処理の“個性化”または“非個性化”にある。：例えば“アップワードレベリング”を有する代わりに、即ち、全部の接続を処理する代わりに、これらが著しく高価となる処理による最大の要求である場合であっても、（価格、サービスまたは処理時間を節約することにより、または個別に多数の接続を処理することにより）接続間に存在してリソースを一層詳細に割当てる差分を考慮する必要がある。かかる機構は実現刷るには一層複雑であるが、その“有益な閾値”には迅速に到達するようになる。
【００３６】
斯様に本発明通信システムによれば、次に示すように従来例の場合に比べて著しい利点を得ることができる：従って接続を追加しても、前記ヨーロッパ特許第618749号明細書に記載されているような分割表の内容を新たに計算刷る必要はない。
【００３７】
数ダースの接続を秒毎に設定する回線網の処理は長くて種々の欠点がある。符号変換器507 は“ジェネリックな配分表"の代わりとなる。接続ｊの追加はＴj およびＤj をロードすることによって極めて簡単とすることができる。
【００３８】
しかし、利得に対する利点を犠牲にしても、ジッタを個別の接続ｊに対する周期Ｔj よりも充分低い値ひ減少することができる。符号変換器を得るためにＲＡＭを使用することによって各接続を個別化することができる。従って１個の接続を追加することは構成に対しては高価なものとなるが、ジッタレベルは著しく低下させることができる。
【００３９】
これがため、現在では、サイクルｕ当たり１つの接続を走査する装置が考えられている。この場合変換器のメモリはヨーロッパ特許第618748号（即ち、ＡＴＭチャネルの総合レートの１／ｄがある場合には“ｄ”個の素子のメモリで規則正しく離間されている符号を有する）に記載されているものと同様のものがロードされている。従って、処理回路510 は透明となり、常に過去のデートであるデートＤj を見ることができる。これがため最大のジッタは（相互接続の相互作用は無視するものとして）１周期Ｔj となる。
【００４０】
符号変換器のメモリを修正することなく、サイクルｕ当たり32個の接続の走査が承認され、且つヨーロッパ特許第689371号および第735793号明細書に記載の表示回路を用いる場合には、発生したジッタはＴj ／32以下となる。
【００４１】
後者のモードで充分で或るとする場合には、装置に上述した“ストップデート”選択回路を後続させることができる。
【図面の簡単な説明】
【図１】本発明多重化装置を接続する回線網を示す説明図である。
【図２】回線網を経て伝送された情報セルの構成を示す説明図である。
【図３】本発明多重化装置の構成を示す回路図である。
【図４】図３に示す装置の一部分を構成する割当て回路の構成を示す回路図である。
【符号の説明】
１００  回線網
１６０  多重化装置
１８０  アクセス手段
２００  サービス回路
２０１  バッファ素子
２８０  セル伝送回路
３００  割当て回路
【図１】
0003828966.tif 000003
【図２】
0003828966.tif 000004
【図３】
0003828966.tif 000005
【図４】
0003828966.tif 000006